(57)【要約】【課題】  トルクの大きさを長期間に亘って安定させることができるリール台装置を提供する。【解決手段】  リール台装置１０は、回転駆動される駆動要素１１と、駆動要素１１に対して相対的に回転可能に設けられたリール台１２と、駆動要素１１とリール台１２との間にヒステリシストルクを発生させるマグネット１５および磁性板１８と、駆動要素１１とリール台１２との間に配置されて摩擦トルクを発生させるワッシャ１７とを備える。ワッシャ１７は、油を含浸させている部材からなる。【選択図】      図２
2005166148.tif 000002
【特許請求の範囲】
【請求項１】
回転駆動される駆動要素と、
前記駆動要素に対して相対的に回転可能に設けられたリール台と、
前記駆動要素と前記リール台との間にヒステリシストルクを発生させるヒステリシストルク発生手段と、
前記駆動要素と前記リール台との間に配置されて摩擦トルクを発生させるワッシャとを備え、
前記ワッシャは、油を含浸させている部材からなる、リール台装置。
【請求項２】
前記ワッシャは、オイルレスメタルからなる、請求項１に記載のリール台装置。
【請求項３】
前記ワッシャは、油を含浸したカーボン系樹脂からなる、請求項１または２に記載のリール台装置。
【請求項４】
前記駆動要素は、リール軸を取り囲む軸受部分と、この軸受部分の外面から半径方向外方に延びるフランジ部とを含み、
前記リール台は、リール軸を取り囲む軸受部分と、この軸受部分の外面から半径方向外方に延びるフランジ部とを含み、
前記ヒステリシストルク発生手段は、前記駆動要素のフランジ部と前記リール台のフランジ部との間に設けられ、
前記ワッシャは、前記駆動要素の軸受部分と前記リール台の軸受部分との間に配置される、請求項１〜３のいずれかに記載のリール台装置。
【請求項５】
前記ヒステリシストルク発生手段は、前記駆動要素および前記リール台のうちのいずれか一方に取付けられたマグネットと、他方に取付けられた磁性板とを含む、請求項１〜４のいずれかに記載のリール台装置。
【発明の詳細な説明】
【技術分野】
【０００１】
この発明はリール台装置に関し、特に、デジタルビデオカメラ（ＤＶＣ）、ビデオテープレコーダ、８ミリビデオテープレコーダ（８ミリＶＴＲ）、デジタルオーディオテープレコーダ（ＤＡＴ）、カセットテープレコーダなどのテープ駆動部に用いられるリール台装置に関する。
【背景技術】
【０００２】
磁気クラッチを用いたリール台装置の一例が、特開昭６１−６３９４９号公報（特許文献１）に開示されている。図１は、この公報に開示されたリール台装置を示している。この図１を参照して、従来のリール台装置を説明する。
【０００３】
リール台装置は、シャーシに取付けられているリール軸１の周りを回転するように設けられており、リール台２と、このリール台２に対して相対的に回転可能な駆動ギヤ３とを備える。リール台２は、上下に位置して嵌め合わされて一体となって回転する上リール台２ａと下リール台２ｂとからなる。下リール台２ｂの外周には、歯４が形成されている。
【０００４】
下リール台２ｂには磁石５が固定されており、さらに磁石５上にワッシャ７が配置されている。磁石５およびワッシャ７は、下リール台２ｂと一体となって回転する。駆動ギヤ３には、磁石５に対面するヒステリシス板６が取付けられている。駆動ギヤ３の回転は、磁石５とヒステリシス板６との間に発生するヒステリシストルクによってリール台２に伝達される。
【特許文献１】特開昭６１−６３９４９号公報
【発明の開示】
【発明が解決しようとする課題】
【０００５】
図１に示した従来技術では、駆動ギヤ３とリール台２とが摺接する部分にワッシャ７が配置されている。一般的に、ワッシャ７の材質としてステンレス系の金属が使用される。この場合、駆動ギヤ３とリール台２との摺動を安定させるためにワッシャ７上にオイルを塗布する。しかしながら、オイルをワッシャ７上に単に塗布しただけでは、摺動部からオイルが漏れたり揮発したりするため、長時間の使用でトルク値が異常に上昇しテープが伸びるという問題が生じる。
【０００６】
上記の問題を改善するために、ワッシャ７上に塗布されたオイルを摺動面に貯めておくためのオイル溜りをリール台または駆動ギヤに設けることが考えられるが、根本的な問題解決にはならない。
【０００７】
この発明の目的は、トルクの大きさを長期間に亘って安定させることができるリール台装置を提供することである。
【課題を解決するための手段】
【０００８】
この発明に従ったリール台装置は、回転駆動される駆動要素と、駆動要素に対して相対的に回転可能に設けられたリール台と、駆動要素とリール台との間にヒステリシストルクを発生させるヒステリシストルク発生手段と、駆動要素とリール台との間に配置されて摩擦トルクを発生させるワッシャとを備える。ワッシャは、油を含浸させている部材からなる。
【０００９】
一つの実施形態では、ワッシャはオイルレスメタルからなる。他の実施形態では、ワッシャは、油を含浸したカーボン系樹脂からなる。
【００１０】
上記構成の本発明によれば、ワッシャに油を塗布するのではなく、ワッシャ自体が油を含浸しているので、油が漏れることは無く、長時間使用しても一定の大きさで安定したトルクを得ることができる。
【００１１】
オイルレスメタルや油含浸樹脂の存在は従来から知られているが、このような材料をワッシャに使用した例は、本発明者の知る限り、無い。オイルレスメタルまたは油含浸樹脂からなるワッシャの使用により、油の塗布工程や油量の管理工程等が不要になる。また、オイルをワッシャに塗布するリール台装置の場合、オイルの飛散や流出によってテンションレギュレータのスリップやメカデッキの汚染といった不具合が生じるおそれがあったが、本発明ではそのような不具合が生じない。
【００１２】
一つの実施形態では、駆動要素は、リール軸を取り囲む軸受部分と、この軸受部分の外面から半径方向外方に延びるフランジ部とを含む。また、リール台は、リール軸を取り囲む軸受部分と、この軸受部分の外面から半径方向外方に延びるフランジ部とを含む。ヒステリシストルク発生手段は、駆動要素のフランジ部とリール台のフランジ部との間に設けられる。油を含浸したワッシャは、駆動要素の軸受部分とリール台の軸受部分との間に配置されて摩擦摺動トルクを発生する。ヒステリシストルク発生手段は、典型的には、駆動要素およびリール台のうちのいずれか一方に取付けられたマグネットと、他方に取付けられた磁性板とを含む。この実施形態によれば、摺動面の摩耗によるトルクの経時変化を防止できるので、摩擦摺動トルクの大きさを長期に亘って安定させることができる。
【発明を実施するための最良の形態】
【００１３】
図２は、この発明の一実施形態を示している。図示するリール台装置１０は、外周部に歯が形成されている駆動要素１１と、この駆動要素１１に対して相対的に回転可能に設けられたリール台１２と、駆動要素１１とリール台１２との間にヒステリシストルクを発生させるヒステリシストルク発生手段と、駆動要素１１とリール台１２との間に配置されて摩擦トルクを発生させるワッシャ１７とを備える。駆動要素１１、リール台１２およびワッシャ１７は、それぞれ、リール軸を受入れる中心穴を有している。
【００１４】
リール台１２の上部には、ばね１４により上方に押し上げられ、軸方向へ摺動するリールフック１３が設けられている。このリールフック１３により図示しないリールがリール台１２上に固定される。
【００１５】
リール台１２は、リール軸を取り囲む軸受部分１２ａと、この軸受部分１２ａの外面から半径方向外方に延びるフランジ部１２ｂとを含む。同様に、駆動要素１１は、リール軸を取り囲む軸受部分１１ａと、この軸受部分１１ａの外面から半径方向外方に延びるフランジ部１１ｂとを含む。
【００１６】
ワッシャ１７は、駆動要素１１の軸受部分１１ａとリール台１２の軸受部分１２ａとの間に配置される。このワッシャ１７は、油を含浸させている部材からなる。例えば、ワッシャ１７はオイルレスメタルからなる。他の実施形態として、ワッシャ１７を、油を含浸したカーボン樹脂から形成するようにしてもよい。
【００１７】
リール台１２のフランジ部１２ｂの下面には、磁性体からなるバックヨーク１６が固着されており、このバックヨーク１６にはリング状のマグネット１５が吸着保持されている。
【００１８】
駆動要素１１のフランジ部１１ｂの上面には、上述のマグネット１５に対面するように磁性板としてのリング状のヒステリシス材１８が取付けられている。マグネット１５、バックヨーク１６およびヒステリシス材１８によってヒステリシストルク発生手段を構成している。
【００１９】
上記のように構成されたリール台装置１０において、図示しない駆動機構によって駆動要素１１が回転駆動されると、駆動要素１１のフランジ部１１ｂに取付けられたヒステリシス材１８と、リール台１２のフランジ部１２ｂに取付けられたマグネット１５との間でヒステリシストルクが発生するとともに、リール台１２の軸受部分１２ａとワッシャ１７との間、および駆動要素１１の軸受部分１１ａとワッシャ１７との間に摩擦トルクが発生する。このように、上記構成のリール台装置１０によれば、駆動要素１１の回転をリール台１２に伝達するのに際し、ヒステリシストルクおよび摩擦トルクを同時に発生させるものであるので、高トルク化を実現できる。
【００２０】
また、ワッシャ１７が油を含浸させている部材からなるので、摩擦摺動トルクの大きさを長期に亘って安定させることができる。
【００２１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２２】
この発明は、安定したトルク伝達が必要とされるリール台装置に有利に適用され得る。特に、デジタルビデオカメラ、ビデオテープレコーダ、８ミリビデオテープレコーダ、デジタルオーディオテープレコーダ、カセットテープレコーダなどのテープ駆動部に用いることができる。
【図面の簡単な説明】
【００２３】
【図１】従来のリール台装置の一例を示す断面図である。
【図２】本発明の一実施形態を示す断面図である。
【符号の説明】
【００２４】
１０  リール台装置、１１  駆動要素、１１ａ  軸受部分、１１ｂ  フランジ部、１２  リール台、１２ａ  軸受部分、１２ｂ  フランジ部、１３  リールフック、１４  ばね、１５  マグネット、１６  バックヨーク、１７  ワッシャ、１８  磁性板。
【図１】
2005166148.tif 000003
【図２】
2005166148.tif 000004